(57)【要約】【課題】レンズ交換のためにボディマウントの開口を開放すると、カメラの外部からミラーボックス内に空気とともに入り込んだ塵芥が保持枠の周りの隙間を経てペンタプリズム側に侵入して焦点板上に付着するおそれがある。【解決手段】ミラーボックス６０は反射ミラーで反射された被写体光束の通過する開口６０ａを有し、この開口６０ａに保持枠５４が嵌合され、保持枠５４は焦点板５２で塞がれる開口５４ｅを有している。ミラーボックスの開口６０ａのペンタプリズム４１側の口元の少なくとも一辺に、ミラーボックス６０は面取り部６０ｂを有し、保持枠５４の外形端の少なくとも一部はミラーボックスの面取り部６０ｂに沿って外向きに張り出した軒状の突部５４ｆとされ、面取り部６０ｂと軒状の突部５４ｆとの間に焦点板５２から離れる方向の経路７０が規定されている。【選択図】図５
2009288537.tif 000002
【特許請求の範囲】
【請求項１】
一眼レフレックスカメラのファインダ構造において、
ペンタプリズムと、
被写体光束を上記ペンタプリズムへ反射する可動の反射ミラーと、
前記被写体光束を受けて被写体像を形成する平板状の焦点板と、
前記ペンタプリズムを支持するとともに前記反射ミラーを可動に支持し、前記被写体光束を通過させる矩形状の第１の開口を有して前記ペンタプリズムと前記可動反射ミラーとの間に設けられ、該第１の開口の上記ペンタプリズム側の口元の少なくとも一辺に面取り部を持つミラーボックスと、
上記焦点板により塞がれる第２の開口を有し、外形端の少なくとも一部がさらに外向きに上記ミラーボックスの面取り部に沿うように軒状に張り出した突部を持ち、上記ミラーボックスの第１の開口の内径に嵌合した保持枠と、
を具備していることを特徴とする一眼レフレックスカメラのファインダ構造。
【請求項２】
上記ミラーボックスの面取り部は、断面が曲面状の形状をしている請求項１記載の一眼レフレックスカメラのファインダ構造。
【請求項３】
ファインダ内情報表示のための表示板が、上記ペンタプリズムと上記焦点版との間で上記焦点板と平行に設けられている請求項１または２記載の一眼レフレックスカメラのファインダ構造。
【発明の詳細な説明】
【技術分野】
【０００１】
本発明は、一眼レフレックスカメラ、特に、保持枠、焦点板、スクリーン押圧部材をユニット化した一眼レフレックスカメラのファインダ構造に関する。
【背景技術】
【０００２】
一般的に、一眼レフレックスカメラにおいては、撮影光学系レンズを通過した被写体からの光束を光軸（撮影光学系光軸）上の可動の反射ミラー（メインミラー）で上方に反射させて焦点板（ファインダスクリーン、フォーカシングスクリーン）で結像し、その像（倒立像）を焦点板の上方に位置するペンタプリズム（またはペンタミラー）で左右反転させて、ペンタプリズムの後方に位置する観察光学系を経て正立像の被写体像を観察している。
また、一眼レフレックスカメラは、ミラーボックス前面の開放されたボディマウントの開口に撮影光学系レンズを装着可能となっており、撮影光学系レンズの装着によってレンズ交換がなされる。
【０００３】
反射ミラーからの被写体光束が結像した焦点板をＣＣＤやＣＭＯＳなどの撮像面と等価の位置に配置するために、ボディマウントからの焦点板の光路長や、観察光学系の光軸（観察光学系光軸）、すなわち反射ミラーによって折り曲げられた撮影光学系光軸に対する焦点板の傾き（観察光学系光軸）を調整する必要がある。
【０００４】
たとえば特開２００５−０１７４０３号公報記載のように、矩形状のスクリーン押圧部材がその上に焦点板を保持し、そのスクリーン押圧部材を一回り大きな矩形状の保持枠（スクリーン本体、ユニット枠）内に下方から装着することにより、焦点板を保持枠、スクリーン押圧部材の間に挟持して焦点板、保持枠、スクリーン押圧部材をユニット化している。そして、ミラーボックスの上面との間隔を厚さの異なる複数のスペーサ（カンザ）で調整してそのユニット（スクリーンユニット）をミラーボックスの上面に位置決めし、それによって焦点板の光路長や傾きを調整している。
【発明の開示】
【発明が解決しようとする課題】
【０００５】
保持枠、焦点板、スクリーン押圧部材をユニット化してなるスクリーンユニットがミラーボックスに対して可動であるため、ミラーボックスとの間でスクリーンユニットの周囲、具体的には保持枠の周囲に隙間が僅かとはいえ必ず存在する。しかし、隙間が存在すれば、撮影光学系レンズをミラーボックス前面のボディマウントに装着するためにボディマウントの開口を開放すると、空気（外気）がカメラの外部からミラーボックス内に入り込んで反射ミラー側の空間（焦点板より下方の空間）から保持枠の隙間を経てペンタプリズム側の空間（焦点板より上方の空間、焦点板上の空間）に侵入し、空気とともに侵入した塵芥が焦点板上に付着するおそれがある。特に、ボディマウントの開口や反射ミラーから塵芥を除くためにブロアーなどを使用すると、空気とともに塵芥が保持枠の周りの隙間から焦点板より上方の空間に流れ込んで焦点板上に付着しやすい。
本発明は、焦点板より上方の空間への塵芥の侵入を妨げることのできる一眼レフレックスカメラのファインダ構造の提供を目的としている。
【特許文献１】特開２００５−０１７４０３号公報
【課題を解決するための手段】
【０００６】
請求項１記載の本発明によれば、一眼レフレックスカメラのファインダ構造は、ペンタプリズムと、被写体光束を上記ペンタプリズムへ反射する可動の反射ミラーと、前記被写体光束を受けて被写体像を形成する平板状の焦点板と、前記ペンタプリズムを支持するとともに前記反射ミラーを可動に支持し、前記被写体光束を通過させる矩形状の第１の開口を有して前記ペンタプリズムと前記可動反射ミラーとの間に設けられ、該第１の開口の上記ペンタプリズム側の口元の少なくとも一辺に面取り部を持つミラーボックスと、上記焦点板により塞がれる第２の開口を有し、外形端の少なくとも一部がさらに外向きに上記ミラーボックスの面取り部に沿うように軒状に張り出した突部を持ち、上記ミラーボックスの第１の開口の内径に嵌合した保持枠とを具備している。
【０００７】
また、請求項２記載の本発明によれば、上記ミラーボックスの面取り部は、断面が曲面状の形状をしている。
さらに、請求項３記載の本発明によれば、ファインダ内情報表示のための表示板が、上記ペンタプリズムと上記焦点版との間で上記焦点板と平行に設けられている。
【発明の効果】
【０００８】
請求項１記載の本発明では、ミラーボックスの開口（第１の開口）のペンタプリズム側の口元の少なくとも一辺に設けた面取り部と、開口（第２の開口）を焦点板で塞いだ保持枠の外形端が外向きにミラーボックスの面取り部に沿って軒状に張り出した突部とによって焦点板から離れる方向の経路（外向きの経路）が規定される。そのため、撮影光学系レンズの交換のためにミラーボックス前面のボディマウントの開口を開放してカメラの外部から空気（外気）がミラーボックス内に入り込むと、空気はミラーボックスの面取り部と保持枠の軒状の突部とに規定される経路に導かれて焦点板から離れる方向に流れる。従って、焦点板上の空間への塵芥の侵入が妨げられ、焦点板上への塵芥の付着が大幅に減らされる。
【０００９】
また、請求項２記載の本発明では、ミラーボックスの面取り部が曲面状の断面形状であるため、空気がミラーボックスの面取り部と保持枠の軒状の突部とに規定される経路に円滑に導かれ、焦点板上の空間への塵芥の侵入が確実に防止される。
さらに、請求項３記載の本発明では、ファインダ内情報表示のための表示板をペンタプリズムと焦点板との間で焦点板と平行に設けているにもかかわらず、ミラーボックス内に入り込んだ空気はミラーボックスの面取り部と保持枠の軒状の突部とに規定される経路に導かれて焦点板から離れる方向に流れ、焦点板上の空間への塵芥の侵入が妨げられて焦点板上への塵芥の付着が大幅に減らされる。
【発明を実施するための最良の形態】
【００１０】
本発明では、ミラーボックスはペンタプリズム方向に反射ミラーで反射された被写体光束の通過する開口を有し、この開口に保持枠が嵌合され、保持枠は焦点板で塞がれる開口を有している。ミラーボックスの開口のペンタプリズム側の口元の少なくとも一辺に、ミラーボックスは面取り部を有し、保持枠の外形端の少なくとも一部が面取り部に沿って外向きに軒状に張り出している。
【実施例】
【００１１】
以下、図面を参照しながら本発明の実施例について詳細に説明する。図１は本発明の一実施例に係るファインダ構造を備えた一眼レフレックスカメラの背面外観の斜視図を示す。図２〜図４は図１に示すカメラからその構成部材を順次除去または分離した図を示し、図２では上蓋が除去され、図３ではファインダユニットがさらに分離されて、図４ではスクリーンユニットがさらに分離されている。
【００１２】
図１に示すように、一眼レフレックスカメラ１０は、カメラ本体２０と、カメラ本体の上面を覆う上蓋３０とを備えて構成されている。上蓋３０を除くとカメラ本体２０の上端に配置されたファインダユニット４０が臨まれ（図２参照）、ファインダユニットの下方でカメラ本体の内部にスクリーンユニット５０が配置されている（図３参照）。
【００１３】
図２、図３に示すように、ファインダユニット４０は、ペンタプリズム４１、観察光学系レンズ４３などを備え、これらをユニット化して構成されている。また、図４、図５に示すように、スクリーンユニット５０は、焦点板（ファインダスクリーン、フォーカシングスクリーン）５２、保持枠（スクリーン本体、ユニット枠）５４、スクリーン押圧部材５６などを備え、これらをユニット化して構成されている。
【００１４】
ユニット化されたスクリーンユニット５０の構成は本発明の要部でなく、その基本的な構成は特開２００５−０１７４０３号公報記載の構成に略等しいため、詳細な説明は省略して概略的に述べるに留める。
なお、撮影光学系光軸に沿った方向で被写体側を前方とし、撮影光学系光軸に沿った方向において被写体側と逆側（シャッタ側）を後方とする。
【００１５】
図５は図３の線Ａ−Ａに沿った一部破断の断面図を示す。図５に示すように、スクリーン押圧部材５６は、対向する２枚の板ばね状の押圧辺５６ａ（図では１枚のみを示す）を含む４枚の枠辺を持つ矩形状の枠体からなり、２枚の押圧辺の中央は凸部状に成形され、この中央の凸部分５６ａ’の上に平板状の焦点板５２が保持されている。
【００１６】
また、保持枠（クリーン本体、ユニット枠）５４は、スクリーン押圧部材５６よりも一回り大きな矩形状の枠体からなり、図５には図示されないが、下方に面した段部を有し、スクリーン押圧部材５６に保持された平板状の焦点板５２の上面をこの段部に押圧させて、スクリーン押圧部材との間に平板状の焦点板を挟持している。
つまり、スクリーン押圧部材の保持辺（板ばね）の中央の凸部分５６ａ’を下方に変形させて押圧辺（板ばね）５６ａに上方の弾性力を発生させ、この弾性力のもとで焦点板５２の上面は保持枠５４の段部に押圧されて、焦点板は保持枠、スクリーン押圧部材の間に強固に挟持されている。
【００１７】
カメラ本体２０の前半部（被写体側）にはミラーボックス６０が設けられ、ミラーボックスはその内部に反射ミラー（メインミラー）６２を可動に支持し、ミラーボックスの前面は円形状に開口し、ミラーボックスの上面は矩形状に開口されている。そして、ミラーボックス６０の前面の円形の開口を囲んでボディマウントが螺着され、ミラーボックス上面の矩形の開口６０ａの上方でペンタプリズム４１がミラーボックスに支持されている。
【００１８】
反射ミラー６２は、非撮影時（ファインダ観察時）には図４のＹ軸と平行な撮影光学系光軸上に斜設状態で位置し、ボディマウントに装着された撮影光学系レンズを介した被写体からの光束（被写体光束）を上方に反射させて焦点板５２で結像させている。つまり、非撮影時（ファインダ観察時）には、反射ミラー６２でペンタプリズム４１に反射された被写体光束を焦点板６２が受けて、被写体像が焦点板に形成されている。被写体光束はミラーボックス上面の開口６０ａを通過し、ペンタプリズム４１で反射されて観察光学系レンズに至ってファインダ像が観察される。また、撮影時には、撮影光学系光軸上から反射ミラー６２が上方に退避するため、被写体光束は反射ミラー背後のシャッタに至る。
【００１９】
特開２００５−０１７４０３号公報記載のような公知の方法でミラーボックスの上面の開口６０ａをほぼ塞ぐようにミラーボックス６０の上面にスクリーンユニット５０が位置決めされ、スクリーンユニットの上方にファインダユニット４０が配置されている。
【００２０】
すなわち、図４に示すように、枠形状からなる保持枠５４の左右（図４の矢視Ｘ方向が右、反Ｘ方向が左）の辺から４つの突出片５４ａが水平に延出し、この突出片に貫通孔５４ａ’が形成されている。また、ミラーボックス６０の上面には、貫通孔５４ａ’と整列する位置にピン６０ｄが上方に延出している。実施例では、設計上の問題から、ミラーボックス６０の上面の右端面に２つ、左端面に１つのピン６０ｄが設けられているが、上面の左端面に２つ設けてもよい。
【００２１】
さらに、ミラーボックス６０の上面右端面の２つのピン６０ｄから等距離の位置でミラーボックスの上面右端面に、上方に延びたねじ穴付のボス６０ｃが形成され、対応する位置でミラーボックスの上面左端面にも同様のねじ穴付ボスが形成されている。薄板リング形状のスペーサ（カンザ）５４ｄをミラーボックス上面のピン６０ｄに嵌装させ、中央部が凸の板ばね５４ｂの挿通孔を介してビス５４ｃがミラーボックス上面のボス６０ｃのねじ穴に螺着される。このとき、カンザの厚さやビス５４ｃの螺着深さなどを調整することにより、ミラーボックス６０の上面でのスクリーンユニット５０の位置が調整されて、ボディマウントからの焦点板５２の光路長や焦点板の傾きが調整される。焦点板５２の傾きは、撮影レンズ系光軸に対する接眼レンズ系光軸Ｏ１（図５参照）に対応する。
【００２２】
枠形状の保持枠５４はその中央部に開口５４ｅを有し、この開口５４ｅを下方から塞いで焦点板５２が配置されている。
図６は、図５のＢ部の拡大断面図を示し、図５および図６に示すように、ミラーボックス６０は、その上面の開口６０ａのペンタプリズム側の口元に面取り部６０ｂを有し、保持枠５４の外形縁の少なくとも一部は外向きにペンタプリズム側の口元の面取り部６０ｂに対向して軒状に張り出している。すなわち、ペンタプリズム側の口元の面取り部６０ｂに沿うように外形縁の一部が軒状に張り出した突部５４ｆを保持枠５４は有して形成されている。
【００２３】
ミラーボックスの面取り部６０ｂは、ペンタプリズム側の口元に少なくとも一辺に形成され、実施例では被写体側および被写体側と逆側（結像側）の二辺に形成され、面取り部に対応して保持枠の軒状の突部も被写体側および被写体側と逆側（結像側）の２つの外形縁に形成されている。たとえば、面取り部６０ｂは曲面状の断面形状とされる。
【００２４】
ミラーボックス６０の上面の開口６０ａのペンタプリズム側の口元に面取り部６０ｂが形成されるとともに、外向きに軒状に張り出した突部５４ｆが面取り部に沿って外形縁の一部に形成されることにより、ミラーボックス６０と保持枠５４との間の略Ｔ字状分岐において焦点板５２から離れる方向の経路（外向きの経路）７０が面取り部、軒状の突部の間に規定される。
【００２５】
図５に示すように、焦点板５２とペンタプリズム４１との間には、ファインダユニット４０の構成部材である表示板４４、第１、第２の視野マスク４５−１、４５−２が設けられている。ここで、表示板４４はその周りに隙間を残すことなく中空のファインダブロック４６に接着剤４７で固定されて焦点板５２と平行に設けられ、ペンタプリズム側の表示板の面(上面)４４ａに第１の視野マスク４５−１が配置されている。また、ペンタプリズム側のファインダブロック４６の面（上面）４６ａに段部４６ａ’が形成され、この段部に第２の視野マスク４５−２が配置され、第１、第２の視野マスク４５−１、４５−２によって、表示板４４の視野範囲を限定している。
表示板４４がファインダブロック４６に接着剤４７で固定されて焦点板５２と平行に設けられているため、焦点板５２と表示板４４とに囲まれた狭い空間Ｓ１がペンタプリズム側で焦点板上方に規定される。
【００２６】
表示板４４と第２の視野マスク４５−２との間にプリズム（図示しない）が配置されており、表示用のＬＣＤからの絞り、シャッタ速度などのファイダ内の被写体の撮影情報がプリズムを介して表示板に表示され、焦点板で結像された被写体像とともにファインダで観察される。
【００２７】
ミラーボックス６０の上面に配置されるスクリーンユニット５０は、焦点板５２の光路長や傾きを調整する位置決めのためにミラーボックスに対して可動となっている。すなわち、スクリーンユニットの保持枠５４はミラーボックスの上面の開口６０ａの内径に隙間嵌め状態に嵌合されてミラーボックス６０内に配置され、図５に示すように、スクリーンユニット５０とミラーボックス６０との間でスクリーンユニットの周囲、具体的には保持枠５４の周囲に隙間Ｃが存在する。この隙間Ｃは、僅かなものとはいえ、スクリーンユニット５０がミラーボックス６０に対して可動であるため避けられない。
【００２８】
そのため、撮影光学系レンズの交換のためにミラーボックス前面のボディマウントの開口を開放すると、カメラの外部からミラーボックス６０に入り込んだ塵芥が空気（外気）とともに隙間Ｃを経てペンタプリズム側に流れ、表示板４４と焦点板５２とに囲まれた空間（焦点板上の空間）Ｓ１に侵入して焦点板５２の上面に付着するおそれがある。特に、ボディマウントの開口や反射ミラー６２(図４参照)から塵芥を除くためにブロアーなどを使用すると、塵芥が空気とともに隙間Ｃから焦点板上の空間Ｓ１に侵入して焦点板上に付着する。
【００２９】
しかし、ミラーボックス６０の面取り部６０ｂ、保持枠の軒状の突部５４ｆの間に焦点板５２から離れる方向の経路（外向きの経路）７０が規定されているため、隙間Ｃからペンタプリズム側に流れ込んだ空気は経路７０に導かれて実線で示すように焦点板から離れる方向に流れ、焦点板方向への経路（焦点板上の空間Ｓ１に通じた経路、内向きの経路）７０’への流れは生じない。そのため、撮影光学系レンズの交換のためにミラーボックス前面のボディマウントの開口を開放しても、焦点板上の空間Ｓ１への塵芥の侵入が妨げられ、焦点板上への塵芥の付着を大幅に減らすことができる。
【００３０】
また、焦点板５２から離れる方向の経路７０を大量の空気が流れて焦点板から離れる方向の経路７０が低圧、焦点板方向への経路７０’が高圧となるため、気流の圧力差から図６に２点鎖線で示すような空気の流れが生じて焦点板上の空間Ｓ１から塵芥が吸い出され、この点からも焦点板上への塵芥の付着が防止される。
【００３１】
ミラーボックス６０の面取り部６０ｂの断面形状は、曲面状、直線状、その他の形状とされるが、実施例のように曲線状の断面形状とすれば、塵芥を伴った空気が焦点板から離れる方向の経路７０を円滑に流れて焦点板方向への経路７０’に流れ込まないため、焦点板上の空間Ｓ１への塵芥の侵入が大幅に防止される。
【００３２】
保持枠の軒状の突部５４ｆは、保持枠の外形端の少なくとも一部に形成されるが、面取り部６０ｂに沿った外形端の全面に形成することが好ましく、面取り部に沿って外形端の全面に軒状の突部を形成すれば、空気は乱流を生じることなく焦点板から離れる方向の経路７０を円滑に流れて、焦点板上の空間Ｓ１への塵芥の侵入が確実に防止される。
【００３３】
ミラーボックス６０に面取り部６０ｂを、面取り部に沿って保持枠５４に軒状の突部５４ｆをそれぞれ設けているにすぎず、構成部材が増えるわけでもないから、一眼レフレックスカメラ１０の組み立てが複雑化することもない。
また、部材を設けて物理的な押力を保持枠５４に加えているわけでなく、なんら外力が保持枠に作用していないから、保持枠５４、スクリーン押圧部材５６の間に挟持されている焦点板５２に位置ずれは生じず、焦点板は正しい位置に維持される。
【００３４】
ファイダ内の被写体の撮影情報が表示される表示板４４がファインダブロック４６に接着剤４７で固定されてペンタプリズム４１、焦点板５２の間で焦点板と平行に設けているため、焦点板５２上の空間Ｓ１が狭い空間となる。そのため、表示板をペンタプリズムと焦点板との間で焦点板と平行に設けているにもかかわらず、ミラーボックス内に入り込んだ空気はミラーボックスの面取り部と保持枠の軒状の突部とに規定される経路に導かれて焦点板から離れる方向に流れ、焦点板上の空間への塵芥の侵入が妨げられて焦点板上への塵芥の付着が大幅に減らされる。
【００３５】
上記のように本発明によれば、ミラーボックス６０の面取り部６０ｂ、保持枠の軒状の突部５４ｆの間に焦点板５２から離れる方向の経路（外向きの経路）７０が規定しているため、塵芥を含む空気はこの経路７０に導かれて焦点板から離れる方向に流れて、焦点板５２上の空間Ｓ１への塵芥の侵入が阻止され、焦点板上への塵芥の付着が大幅に減らされる。
【００３６】
上述した実施例は、本発明を説明するためのものであり、本発明を何等限定するものでなく、本発明の技術範囲内で変形、改造等の施されたものも全て本発明に包含されることはいうまでもない。
【００３７】
なお、請求項におけるミラーボックスの第１の開口は実施例ではミラーボックス上面の矩形の開口６０ａとして、同様に保持枠の第２の開口は開口５４ｅとしてそれぞれ具体化されている。
【産業上の利用可能性】
【００３８】
本発明によれば、レンズ交換のためにボディマウントの開口が開放される一眼レフレックスカメラに広範囲に応用できる。
【図面の簡単な説明】
【００３９】
【図１】本発明の一実施例に係るファインダ構造を備えた一眼レフレックスカメラの背面外観の斜視図を示す。
【図２】上蓋を除いた一眼レフレックスカメラの背面外観の斜視図を示す。
【図３】ファインダユニットをさらに分離した一眼レフレックスカメラの背面外観の斜視図を示す。
【図４】スクリーンユニットをさらに分離した一眼レフレックスカメラの背面外観の斜視図を示す。
【図５】図３の線Ａ−Ａに沿った一眼レフレックスカメラの一部破断の断面図を示す。
【図６】図６のＢ部の拡大断面図を示す。
【符号の説明】
【００４０】
１０    一眼レフレックスカメラ
２０    カメラ本体
３０    上蓋
４０    ファインダユニット
４１    ペンタプリズム
４４    表示板
５０    スクリーンユニット
５２    焦点板（ファインダスクリーン、フォーカシングスクリーン）
５４    保持枠（スクリーン本体、ユニット枠）
５４ｅ      開口（第２の開口）
５４ｆ  軒状の突部
５６    スクリーン押圧部材
６０    ミラーボックス
６０ａ  上面の開口(第１の開口)
６０ｂ  面取り部
６２    反射ミラー
７０    焦点板から離れる方向の経路
７０’  焦点板方向の経路（焦点板上の空間に通じた経路）
Ｃ    ミラーボックス、スクリーンユニット間の隙間
Ｓ１    焦点板上の空間(表示板と焦点板とに囲まれた空間)
【図１】
2009288537.tif 000003
【図２】
2009288537.tif 000004
【図３】
2009288537.tif 000005
【図４】
2009288537.tif 000006
【図５】
2009288537.tif 000007
【図６】
2009288537.tif 000008